(57)【特許請求の範囲】
【請求項１】
紙おむつやトイレットペーパー等の軽量家庭用品を包装する六面体形状の外装袋体と、テープ状で両端部が前記外装袋体に固定された取っ手とを有する包装袋において、
前記取っ手は、前記外装袋体の相対する二面にそれぞれ配置されており、二輪車又は三輪車のバー型のハンドルの左端部に、前記二面のうち一面に配置された取っ手を係止するとともに、同ハンドルの右端部に他の一面に配置された取っ手を係止することが可能に構成され、
前記取っ手を形成するテープ状の部材同士が部分的に固着されて輪が形成され、当該輪に前記ハンドルを挿通可能に構成された包装袋。
【請求項２】
紙おむつやトイレットペーパー等の軽量家庭用品を包装する六面体形状の外装袋体と、テープ状で両端部が前記外装袋体に固定された取っ手とを有する包装袋において、
前記取っ手は、前記外装袋体の相対する二面にそれぞれ配置されており、二輪車又は三輪車のバー型のハンドルの左端部に、前記二面のうち一面に配置された取っ手を係止するとともに、同ハンドルの右端部に他の一面に配置された取っ手を係止することが可能に構成され、
前記取っ手を形成するテープ状の部材は、その長手方向の相対する端部同士が相対的に一回転以上ひねられて固定されることで中間部に輪が形成され、当該輪に前記ハンドルを挿通可能に構成された包装袋。
【請求項３】
前記輪に通された紐状の部材が付設されてなる請求項２に記載の包装袋。
【請求項４】
前記取っ手は、一つの面につき複数設けられている請求項１から請求項３のうちいずれか一に記載の包装袋。
【請求項５】
前記取っ手は、伸縮性を有する請求項１から請求項４のうちいずれか一に記載の包装袋。
【発明の詳細な説明】
【技術分野】
【０００１】
本発明は、紙おむつやトイレットペーパー等の軽量家庭用品を包装し、取っ手が付設された包装袋に関する。
【背景技術】
【０００２】
特許文献１−４に、紙おむつやトイレットペーパー等の軽量家庭用品を包装し、取っ手が付設された包装袋が記載される。
特許文献１−４に記載された包装袋にあっては、外装袋体に両端が固定された１又は２つのテープ状、紐状又は打ち抜きによる取っ手が設けられている。これらの取っ手は外装袋体の一面に設けられている。
このような取っ手が設けられていることにより、店頭で購入後の運搬を容易にしている。
【先行技術文献】
【特許文献】
【０００３】
【特許文献１】特開平０７−３２９９８８号公報
【特許文献２】特開２００６−１５１４２９号公報
【特許文献３】特開平２００６−２５６６５５号公報
【特許文献４】特開平２００６−１１７２５１号公報
【発明の概要】
【発明が解決しようとする課題】
【０００４】
しかし、以上の従来技術にあってもさらに次のような問題があった。
従来技術の取っ手が付設された包装袋にあっては、取っ手を手で持つことを考慮して構成しているが、オートバイク・自転車などの二輪車又は三輪車のハンドルに取っ手を掛けて使用することを考慮して取っ手を構成した包装袋は見られない。
ここで、本発明が課題とする二輪車又は三輪車のハンドルの形態は、四輪車で多く見られるサークル状のバンドルではなく、直線状又は曲成されたバー型のハンドルでその両端部が握り手とされた形態のものである。
荷物を多く積載することが可能な四輪車と異なり、二輪車又は三輪車、特に二輪車は、積載する量や形状に制限がある。
二輪車で家庭用品の買い物をする人は多く、これらの人が紙おむつやトイレットペーパー等の軽量家庭用品を食料品等の他の物品と一緒に購入する場合が多い。このとき、紙おむつやトイレットペーパー等を包装したパッケージの運搬方法が問題となる。
紙おむつやトイレットペーパー等は軽量の割に嵩張るため、荷台に固定すると他の買い物が固定できない。
従来からあるループ型の取っ手が付設された包装袋では二輪車のハンドルに取っ手を通すことは可能である。
取っ手を二輪車のハンドルの左右いずれか一端部に通して運転する場合、ハンドルのバランスが取りにくい状態になり危険であり、パッケージがハンドルにぶら下がった状態であるため、走行時の振動や風圧でパッケージ自体が揺れたり、あおられたり、足に触れたりする不都合がある。ハンドルの両端にバックミラーを設置している二輪車にあっては、バックミラーの支持部によってハンドル中央部へパッケージを寄せることが困難であり、バックミラーの支持部より外側に偏在せざるを得ず、バランスを崩しやすい。
紐などの道具を使用して固定する場合、紐により紙おむつやトイレットペーパー等を縛りつけるため、中身が変形するという問題があり、またその縛り付ける行為自体が煩雑であり、さらに、縛り方によっては走行中に紐が外れて落下するおそれがある。
【０００５】
本発明は以上の従来技術における問題に鑑みてなされたものであって、紙おむつやトイレットペーパー等の軽量家庭用品を包装し、取っ手が付設された包装袋であって、紐などの他の道具を必要とせず、二輪車又は三輪車のバー型のハンドルに簡単、かつ、安定的に、走行上安全な状態に取り付けることができる包装袋を提供することを課題とする。
【課題を解決するための手段】
【０００６】
以上の課題を解決するための請求項１記載の発明は、紙おむつやトイレットペーパー等の軽量家庭用品を包装する六面体形状の外装袋体と、テープ状で両端部が前記外装袋体に固定された取っ手とを有する包装袋において、
前記取っ手は、前記外装袋体の相対する二面にそれぞれ配置されており、二輪車又は三輪車のバー型のハンドルの左端部に、前記二面のうち一面に配置された取っ手を係止するとともに、同ハンドルの右端部に他の一面に配置された取っ手を係止することが可能に構成され、
前記取っ手を形成するテープ状の部材同士が部分的に固着されて輪が形成され、当該輪に前記ハンドルを挿通可能に構成された包装袋である。
【０００７】
請求項１記載の発明によれば、取っ手は、六面体形状の外装袋体の相対する二面にそれぞれ配置されており、二輪車又は三輪車のバー型のハンドルの左端部に、一面の取っ手を係止するとともに、同ハンドルの右端部に他の一面の取っ手を係止することができるので、軽量家庭用品を包装する外装袋体を、簡単な作業によりハンドル中央に配置して安定的にハンドルに保持することができ、従って、走行上安全な状態に取り付けることができる。
また、取っ手を形成するテープ状の部材の輪にハンドルを挿通して係止するので、取っ手のハンドルに対する係止部の動きが制限され、軽量家庭用品を包装する外装袋体を、より安定的に保持でき、走行上の安全性をより高めることができる。
【０００８】
請求項２記載の発明は、紙おむつやトイレットペーパー等の軽量家庭用品を包装する六面体形状の外装袋体と、テープ状で両端部が前記外装袋体に固定された取っ手とを有する包装袋において、
前記取っ手は、前記外装袋体の相対する二面にそれぞれ配置されており、二輪車又は三輪車のバー型のハンドルの左端部に、前記二面のうち一面に配置された取っ手を係止するとともに、同ハンドルの右端部に他の一面に配置された取っ手を係止することが可能に構成され、
前記取っ手を形成するテープ状の部材は、その長手方向の相対する端部同士が相対的に一回転以上ひねられて固定されることで中間部に輪が形成され、当該輪に前記ハンドルを挿通可能に構成された包装袋である。
【０００９】
請求項２記載の発明によれば、取っ手は、六面体形状の外装袋体の相対する二面にそれぞれ配置されており、二輪車又は三輪車のバー型のハンドルの左端部に、一面の取っ手を係止するとともに、同ハンドルの右端部に他の一面の取っ手を係止することができるので、軽量家庭用品を包装する外装袋体を、簡単な作業によりハンドル中央に配置して安定的にハンドルに保持することができ、従って、走行上安全な状態に取り付けることができる。
また、取っ手を形成するテープ状の部材のひねりによって形成された輪にハンドルを挿通することで、ハンドルに取っ手を巻き付けるように係止することができ、軽量家庭用品を包装する外装袋体を、より安定的に保持でき、走行上の安全性をより高めることができる。
【００１０】
請求項３記載の発明は、前記輪に通された紐状の部材が付設されてなる請求項２に記載の包装袋である。
【００１１】
請求項３記載の発明によれば、輪に通された紐状の部材によって、輪の位置を安定させることができるので、軽量家庭用品を包装する外装袋体を、より安定的に保持でき、走行上の安全性をより高めることができる。
【００１２】
請求項４記載の発明は、前記取っ手は、一つの面につき複数設けられている請求項１から請求項３のうちいずれか一に記載の包装袋である。
【００１３】
請求項４記載の発明によれば、前記取っ手が一つの面につき複数設けられているので、ハンドルの一端部に複数の取っ手を係止することで、ハンドルの一端部につき複数箇所で係止することができるので、軽量家庭用品を包装する外装袋体を、より安定的にハンドルに保持することができ、走行上の安全性をより高めることができる。
【００１４】
請求項５記載の発明は、前記取っ手は、伸縮性を有する請求項１から請求項４のうちいずれか一に記載の包装袋である。
【００１５】
請求項５記載の発明によれば、取っ手の伸縮性により、軽量家庭用品を包装する外装袋体をハンドル側に押し付けるように保持することができるので、より安定的に保持でき、走行上の安全性をより高めることができる。
【発明の効果】
【００２０】
本発明によれば、軽量家庭用品を包装する外装袋体を、簡単な作業によりハンドル中央に配置して安定的にハンドルに保持することができ、従って、走行上安全な状態に取り付けることができるという効果がある。
【図面の簡単な説明】
【００２１】
【図１】本発明の一実施形態に係る包装袋の斜視図である。
【図２】本発明の他の一実施形態に係る包装袋の斜視図である。
【図３】本発明のさらに他の一実施形態に係る包装袋の一端部斜視図である。
【図４】本発明のさらに他の一実施形態に係る包装袋の一端部斜視図である。
【図５】本発明のさらに他の一実施形態に係る包装袋の一端部斜視図である。
【図６】本発明のさらに他の一実施形態に係る取っ手用テープ部材の裏面側斜視図である。
【発明を実施するための形態】
【００２２】
以下に本発明の一実施形態につき図面を参照して説明する。以下は本発明の一実施形態であって本発明を限定するものではない。
【００２３】
本発明の一実施形態の包装袋１０は、図１に示すように紙おむつやトイレットペーパーなど軽量家庭用品を包装する六面体形状の外装袋体１と、テープ状で両端部が外装袋体１に固定された２つの取っ手２ａ，２ｂとを有する。
外装袋体１は、（辺Ａの長さ）＜（辺Ｂの長さ）＜（辺Ｃの長さ）≦（ハンドルの左端から右端までの長さ）の関係を有した六面体を形成している。
ハンドルの左端から右端までの長さに一番近い辺Ｃに直交する２つの面１ａ、１ｂに取っ手２ａ，２ｂがそれぞれ配置される。ハンドルの両端に取っ手２ａ，２ｂをできるだけ近づけることを可能とするためである。このように、ハンドルの左端から右端までの長さを超えず一番近い長さの辺に直交し、相対する２つの面を取っ手を配置する面として選択することが好ましい。
また、取っ手２ａ，２ｂを辺Ｂに平行に配置する。これにより、取っ手２ａ，２ｂを辺Ａに平行に配置する場合よりも、取っ手２ａ，２ｂを面１ａ、１ｂに沿った状態で、長くすることができる。
初期状態の取っ手２ａ，２ｂの長さは任意である。図１に示すように取っ手２ａ（２ｂ）の長さに余裕を持たせずに両端を固定して面１ａ（１ｂ）に隙間無く沿わせてもよいし、取っ手２ａ，２ｂの長さに余裕を持たせて両端を固定して面１ａ（１ｂ）から離れて撓むようにしてもよい。
【００２４】
軽量家庭用品を包装する外装袋体１を取り付ける対象は、二輪車又は三輪車のバー型のハンドルである。
取付方法は、まず、一方の取っ手２ａと面１ａとの間に、ハンドルの左端部（又は右端部）を挿通して取っ手２ａを係止する。
次に、辺Ｃを左右方向に延在させて外装袋体１をハンドル中央部に配置することで、他方の取っ手２ｂをハンドルの右端部（又は左端部）に近づける。
最後に、他方の取っ手２ｂと面１ｂとの間に、ハンドルの右端部（又は左端部）を挿通して取っ手２ｂを係止する。
ハンドルの右端部から係止するか、左端部から係止するかの順序、取っ手２ａから係止するか、取っ手２ｂから係止するかの順序は問わない。また、可能なら２つの取っ手２ａ，２ｂを同時にハンドルの両端部にそれぞれ通すことを行ってもよい。
以上のようにして、軽量家庭用品を包装する外装袋体１がハンドルの両端部で係止されることで、ハンドル中央部に安定的に保持される。これにより、ハンドルに負荷される荷重バランスが左右いずれかに偏ることがなく、走行時に外装袋体１が揺れ動いたり、運転者の足に触れたりすることが軽減され、走行上の安全性、快適性が保持される。
取っ手をハンドルに良好に係止するために、ハンドル側に取っ手を保持する部品を固定しておいくことも有効である。
【００２５】
取っ手２ａ，２ｂは、購入した消費者によって使用されるものであり、流通時、店頭陳列時に邪魔にならないように、使用前状態においては外装袋体１からあまり外側へ突出していないことが好ましい。
一方、取っ手２ａ，２ｂを使用して外装袋体１をハンドルに取り付ける作業時は、取っ手２ａ，２ｂをハンドルに係止容易とするために、取っ手２ａ，２ｂが外装袋体１から延びだすことが好ましい。
しかし、一旦、ハンドルに取り付けてしまえば、取っ手２ａ，２ｂが長く伸びていることは、外装袋体１のハンドルへの保持安定性を損なうこととなる。
そのために取っ手２ａ，２ｂを、伸縮性を有するものとする。
取っ手２ａ，２ｂが伸縮性を有することにより、取っ手２ａ，２ｂは、使用前には外装袋体１の面１ａ，１ｂに沿って収まりよく配置されるとともに、取付作業時には使用者が手で引っ張って伸ばして外装袋体１から延び出させてハンドルに容易に係止でき、ハンドルに係止した後は縮んで外装袋体１をハンドル側に押し付けるように安定的に保持し、走行時の振動や風圧に耐えることができる。
【００２６】
他の形態として図２に示す包装袋２０のように、取っ手が一つの面につき複数設けられているものを実施しても良い。包装袋２０にあっては、面１ａに２つの取っ手３ａ，３ｂが、面１ｂに２つの取っ手３ｃ，３ｄがそれぞれ互いに平行に配置されている。
一つの面あたりの取っ手の本数は任意であり、３本以上としても良い。複数本とすることで、外装袋体１をより安定的にハンドルに保持することができ、走行上の安全性をより高めることができる。
【００２７】
さらに他の形態としては、図３に示す包装袋３０のように取っ手を形成するテープ状の部材４同士が部分４ａで固着され或いはクリップ、バックルなどの留め具により留められて輪４ｂが形成されたものも有効である。そして、この輪４ｂを取っ手の略中央部に配置してハンドルを挿通可能に構成する。これにより、取っ手のハンドルに対する係止部の動きが制限され、軽量家庭用品を包装する外装袋体１を、より安定的に保持でき、走行上の安全性をより高めることができる。面１ｂにも同構成の取っ手を構成する。
輪の形成方法としては、図３に示すように取っ手を形成するテープ状の部材４を、両端の固定部間の長さより全長を長くして余裕を持たせ、この余裕分で略中央部に輪４ｂを形成するとともに、輪の状態に固定するために部分４ａで部材同士を接着、溶着等により固着する方法が一つの方法である。
【００２８】
他の輪の形成方法としては、図４に示す包装袋４０のように取っ手を形成するテープ状の部材５をその長手方向の相対する端部同士を相対的に一回転以上ひねって固定することで中間部に輪５ａを形成する方法がある。ひねり方は、テープ状の部材５の面に平行で長手方向に垂直な軸回りに巻くことによる。ひねりは、２回転以上にしてもよいが、店頭陳列の際の見栄えも考慮して決定する。面１ｂにも同構成の取っ手を構成する。
【００２９】
また、図５に示す包装袋５０のように、ひねりによって形成した輪５ａに紐状の部材６を通して、この紐状の部材６を取っ手に垂直に配置して両端を外装袋体１に固着しておくことも有効である。この紐状の部材６によって、輪５ａの位置を安定させることができるので、軽量家庭用品を包装する外装袋体１を、より安定的に保持でき、走行上の安全性をより高めることができる。面１ｂにも同構成の取っ手を構成する。
【００３０】
また、図３に示した輪４ｂの状態に固定するために部分的に部材同士を固着する手段は、接着、溶着等の恒久的な手段によらず、着脱自在に行える係合手段を適用してもよい。具体的な係合手段としては、メカニカルテープやクリップ等の機械的係合手段、粘着テープなどの粘着性の係合手段を適用できる。
図６(a)に示すオス材８ａとメス材８ｂからなるメカニカルテープが付設された取っ手用テープ部材７が示される。取っ手用テープ部材７の裏面にオス材８ａとメス材８ｂとを輪を形成する分の間隔を隔てて固定しておくことで、輪を形成し固定することができる。オス材８ａとメス材８ｂが付設された取っ手用テープ部材７の裏面側を面１ａに固定して取っ手を構成する。面１ｂにも同構成の取っ手を構成する。
図６(b)に両面粘着テープ１１が付設された取っ手用テープ部材９が示される。両面粘着テープ１１の一方の粘着面が取っ手用テープ部材９の裏面に粘着固定され、両面粘着テープ１１の他方の粘着面に剥離紙が付設された状態で消費者に供給される。取っ手用テープ部材９の両面粘着テープ１１が付設された部位を起点に輪を形成して、剥離紙を剥がして両面粘着テープ１１の他方の粘着面を輪の終端部に粘着固定することで、輪を形成し固定することができる。両面粘着テープ１１が付設された取っ手用テープ部材９の裏面側を面１ａに固定して取っ手を構成する。面１ｂにも同構成の取っ手を構成する。
【符号の説明】
【００３１】
１    外装袋体
１ａ，１ｂ  取っ手配置面
２ａ，２ｂ  取っ手
３ａ，３ｂ  取っ手
３ｃ，３ｄ  取っ手
４ｂ  輪
５ａ  輪
６    紐状の部材
８ａ  メカニカルテープのオス材
８ｂ  メカニカルテープのメス材
１０  包装袋
１１  両面粘着テープ
２０  包装袋
３０  包装袋
４０  包装袋
５０  包装袋
【図１】
0005632683.tif 000002
【図２】
0005632683.tif 000003
【図３】
0005632683.tif 000004
【図４】
0005632683.tif 000005
【図５】
0005632683.tif 000006
【図６】
0005632683.tif 000007